(57)【要約】【課題】本発明は、撮像装置に関するもので、手ぶれ補正に対する感度を高めることを目的とするものである。【解決手段】そしてこの目的を達成するために本発明は、光の進入方向に対して順番に配置した第1群レンズ８と、第２群レンズ９と、第３群レンズ１０と、第４群レンズ１１と、第５群レンズ１２と、撮像素子とを備え、前記第３群レンズ１０は、内枠１９に保持させ、この内枠１９に、手ぶれ補正駆動機構を設けるとともに、この外枠２０には、傾斜補正手段を設けた。【選択図】図８
2010114874.tif 000002
【特許請求の範囲】
【請求項１】
光の進入方向に対して順番に配置したズーム機能を有する複数のレンズ群と、撮像素子とを備え、
前記レンズ群の中のレンズには、レンズホルダに保持させ、このレンズホルダに、手ぶれ補正駆動機構を設けるとともに、このレンズホルダには、傾斜補正手段を設けた撮像装置。
【請求項２】
前記傾斜補正手段は、レンズホルダに所定間隔離して設けた複数の調節ネジにより構成した、請求項１に記載の撮像装置。
【請求項３】
レンズホルダには、調節ネジが螺合するネジ孔を設け、このネジ孔の外周部の一部には、押しつけ部を設けた、請求項２に記載の撮像装置。
【請求項４】
押しつけ部には、前記レンズ群の中の光の進入側から撮像素子側に突起を押しつけた請求項３に記載の撮像装置。
【請求項５】
前記レンズ群による倍率を５０倍以上とした、請求項１から４のいずれか１つに記載の撮像装置。
【請求項６】
前記傾斜補正手段は、前記レンズホルダを支持する支点と、２つの調節ネジを有し、これら調節ネジは、前記支点の位置を原点とした、略９０度の挟角をなす位置にそれぞれ配置された請求項１あるいは２のいずれか１つに記載の撮像装置。
【発明の詳細な説明】
【技術分野】
【０００１】
本発明は、たとえば、ビデオカメラやデジタルカメラのような撮像装置に関するものである。
【背景技術】
【０００２】
従来のこの撮像装置の構成は、以下のような構成となっていた。
【０００３】
すなわち、光の進入方向に対して順番に配置した複数のレンズ群と、撮像素子とを備え、前記レンズ群のいずれかには、高品位な画像を得るために、傾斜補正手段を設けていた（例えば下記特許文献１）。
【特許文献１】特開２００３−２１５４１８号公報
【発明の開示】
【発明が解決しようとする課題】
【０００４】
上記従来例における課題は、手ぶれ補正の感度を高める事ができないということであった。
【０００５】
すなわち、上記従来例においては、レンズ自体に傾斜補正手段を設けているので、このレンズ自体の重量が重くなり、よって、このレンズに手ぶれ補正駆動機構を設けた場合、レンズ自体の重量が重い分、手ぶれ補正に対する感度を高めることが出来なかったのである。
【０００６】
そこで本発明は、手ぶれ補正に対する感度を高める事を目的とするものである。
【課題を解決するための手段】
【０００７】
そして、この目的を達成するために本発明は、光の進入方向に対して順番に配置したズーム機能を有する複数のレンズ群と、撮像素子とを備え、前記レンズ群の中のレンズには、レンズホルダに保持させ、このレンズホルダに、手ぶれ補正駆動機構を設けるとともに、このレンズホルダには、傾斜補正手段を設け、これにより初期の目的を達成するものである。
【発明の効果】
【０００８】
以上のように本発明は、光の進入方向に対して順番に配置したズーム機能を有する複数のレンズ群と、撮像素子とを備え、前記レンズ群の中のレンズには、レンズホルダに保持させ、このレンズホルダに、手ぶれ補正駆動機構を設けるとともに、このレンズホルダには、傾斜補正手段を設けたものであるので、手ぶれ補正に対する感度を高める事ができる。
【０００９】
すなわち、本発明においては、手ぶれ補正機構を保持させたレンズホルダに傾斜補正手段を設けたものであるので、このレンズ自体の重量が重くなることはなく、よって、手ぶれ補正駆動機構による手ぶれ補正に対する感度を高める事ができるのである。
【発明を実施するための最良の形態】
【００１０】
以下、本発明の一実施形態を、撮像装置の一例としてビデオカメラに適用した物を、添付図面を用いて説明する。
【００１１】
図１において、１は、本体ケースで、この本体ケース１の前方には、集光窓２が設けられ、また、後方には、覗き窓３や、操作スイッチ４などが設けられ、さらに、左側の側面には、表示装置５が設けられ、さらにまた、右側の側面には、ホルダ６が設けられている。
【００１２】
また、前記本体ケース１の集光窓２から覗き窓３間には、図４に示す第1群レンズ８、ズーム用の第２群レンズ９、第３群レンズ１０、ピント調整用の第４群レンズ１１、第５群レンズ１２が、それぞれ所定間隔離れた状態で配置されている。
【００１３】
前記第1群レンズ８は、図１に示す集光窓２の後方（図２、図３の左側）に配置された状態で本体ケース１に保持され、ズーム用の第２群レンズ９は、第２群レンズホルダ１３に保持され、さらに、第３群レンズ１０は、内枠１９に保持され、さらにまた、ピント調整用の第４群レンズ１１は、第４群レンズホルダ１５に保持され、また、第５群レンズ１２は、最も後方側で第５群ケース３６に保持されている。
【００１４】
なお、第５群レンズ１２の後方（図３の右側）には、撮像素子ユニット４０が配置されている。そして、この撮像素子が捕らえた信号で、覗き窓４の前方に設けた表示器（図示せず）に、あるいは、表示装置５に映像を表示する構成となっている。
【００１５】
さて、図３、図４に示す第２群レンズ９は、図３に示す２本のシャフト１６ａ、１６ｂに沿って前後方向に、摺動することで倍率を変えることが出来るものであって、本実施形態では、その倍率を５０倍以上、さらに詳細には７０倍としているので、例えば、図９に示すごとく、富士山１７の５合目から頂上の登山者を映した時でも、それを後に、例えば１９インチの表示装置１８で再生すれば、登山者は、この図９に示すごとく、四捨五入すれば１ｃｍ程度の大きさで再生出来るものである。
【００１６】
このように、高倍率となった本実施形態の撮像装置においては、手ぶれ補正に対する感度を高める事が重要になる。
【００１７】
そこで、本実施形態においては、第３群レンズ１０を保持したホルダ１４の構成を図５から図８に示す構成とした。
【００１８】
まず、第３群レンズ１０は、小さな内枠１９で保持し、この内枠１９を外枠２０に保持させた。具体的には、内枠１９は、ほぼ四角形となっており、その中心部分で第３群レンズ１０を保持している。
【００１９】
この状態において、外枠２０に植設された係止ピン２３の径よりもわずかに大きい幅で上下方向に数ミリの長さで内枠１９に配設された係止孔２２に、係止ピン２３を係合する。また、内枠１９の第３群レンズ１０を保持した下方部分の両側には、図８に示すごとく、係止ピン２５の径よりもわずかに大きい係止切欠２４が左右に、計２箇所設けられ、この左右の係止切欠２４には、図８で示す係止ピン２５が、外枠２０を貫通した状態で、係止される。
【００２０】
係止孔２２、係止切欠２４は、この図８に示すごとく、レンズの可動範囲よりも若干長い長穴状となっており、この係止孔２２、係止切欠２４内に係止ピン２３、２５が、係止された状態であるため、内枠１９は、係止ピン２３、２５に案内されて、左右および上下に摺動することができる。
【００２１】
また、この内枠１９の後方側には、内枠１９を上下方向に動かす駆動コイル２６、左右方向に動かす２７が一体に設けられる。
【００２２】
そして、このように、第３群レンズ１０および駆動コイル２６、２７が、一体化された内枠１９が、外枠２０に装着された状態で、駆動コイル２６、２７の後方には、磁石２８、２９が設けられ、また、この内枠１９の前方には、ヨーク体３０が設けられる。
【００２３】
つまり、磁石２８、２９と、ヨーク体３０の間に形成される磁気ギャップに、駆動コイル２６、２７が配置され、これにより、駆動コイル２６、２７に、電流を流せば、内枠１９は、その電流の大きさと方向によって、上下左右にスムーズに駆動されることとなる。
【００２４】
本実施形態においては、本体ケース１内に、手ぶれを検出する角速度センサ（図示せず）を設けており、この角速度センサにより検出した手ぶれ情報が、上記駆動コイル２６、２７に供給され、これによって、手ぶれ補正を、行うようになっている。
【００２５】
本実施形態においては、図９を用いて説明したように、高倍率の撮影を行うことができるものであって、このような高倍率の撮影には、その手ぶれ補正がきわめて重要なことは、よく知られていることである。
【００２６】
そこで、本実施形態においては、上述のごとく、手ぶれ補正を行うための主要構成体は、内枠１９に保持させて軽量化し、これによって、手ぶれ補正に対する感度を高めるようにした。
【００２７】
さて、第３群レンズ１０は、そもそも、第２群レンズ９と第４群レンズ１１間における傾斜補正を行わせなければならないものであるので、本実施形態においては、その傾斜補正手段として、下記のような構成をとった。
【００２８】
すなわち、係止ピン２３が貫通した外枠２０の後側には、環状の突起３１が設けられ、この突起３１は、その後方の図３に示す凹部３１ａに嵌合し、その状態で、この外枠２０の下部の左右に設けたネジ孔３２にネジ３３をねじ込むことで、この傾斜補正を行うようになっている。
【００２９】
さらに詳しく説明すると、ネジ３３をネジ孔３２にねじ込んでいけば、その後端側は、その後方側に対向する第５群ケース３６の当面３４に当接し、よって、この左右のネジ３３のねじ込み量を調整すれば、外枠２０の傾斜補正ができ、この外枠２０に内枠１９が取り付けられているので、結論として、上記左右のネジ３３の押し込みにより、第３群レンズ１０の傾斜補正が行えるものである。
【００３０】
本実施形態においては、以上説明したように、第３群レンズ１０の傾斜補正手段を、内枠１９外に設けて構成したものであるので、この点からも、内枠１９の重量を軽くすることができ、このことからも、手ぶれ補正に対する感度を高め、図９に示すような、高倍率でも手ぶれのないクリアな撮影を行うことができる。
【００３１】
さて、本実施形態においては、上述のごとく、左右のネジ３３により、第３群レンズ１０の傾斜補正が行え、この傾斜補正を行った状態で、図２に示すごとく、第１群レンズ８を取り付けた第１群ケース３５と、第５群レンズ１２を取り付けた第５群ケース３６は、図３からも明らかなように、ネジ３７を前方から後方にねじ込むことにより、図２に示すごとく、外枠２０をはさんだ状態で第１群ケース３５、第５群ケース３６が一体化される。
【００３２】
このとき、第１群ケース３５のネジ３７をねじ込むネジ孔３８の上方には、弾性力を付与した状態の押突起３９が設けられ、この押突起３９は、外枠２０のネジ孔３２の外側を、後方側に押すことになる。
【００３３】
つまりこれで、外枠２０に配設されたネジ３３の先端が、ケース３６側に付勢され、ケース３６に配設されたネジ３３の当面３４に安定的に当接することで、ネジ３３による傾斜補正が、安定するものとしている。
【００３４】
また、このように、押突起３９をネジ孔３２の外側で、遊端側を押すことで、ネジ孔３２をわずかながらも変形させ、これによって、ネジ孔３２とネジ３３の螺合状態が、緩まないようにしている。
【００３５】
さて、本実施形態における傾斜補正手段においては、図１０に示すような手段を用いることで、より効率の良い傾斜補正が実現できる。
【００３６】
図１０は、外枠２０を裏面から見た図である。外枠２０の後側には、環状の突起３１が設けられ、この突起３１は、その後方の図３に示す凹部３１ａに嵌合し、また、支点４１は、第５群ケース３６の当面３４に当接して外枠２０を支持している。その状態で、この外枠２０の支点４１の位置を原点とした、略９０度の挟角をなす位置にネジ３３ａ、３３ｂを配置し、これらをねじ込むことで、この傾斜補正を行うようになっている。
【００３７】
さらに詳しく説明すると、ネジ３３ａをネジ孔３２にねじ込んでいけば、その後端側は、その後方側に対向する第５群ケース３６の当面３４に当接し、支点４０を原点としたＸ軸４２に沿った傾斜補正が可能になる。また、ネジ３３ｂをネジ孔３２にねじ込んでいけば、その後端側は、その後方側に対向する第５群ケース３６の当面３４に当接し、支点４１を原点としたＹ軸４３に沿った傾斜補正が可能になる。
【００３８】
このように支点４１と、２つの調節ネジ３３ａ、３３ｂを配置すると、上述したようにＸ軸４２方向、Ｙ軸４３方向の傾斜補正が独立して調整可能となるため、より効率よく調整が可能となるのである。これにより、調整作業者、あるいは調整自動機にとって、レンズの倒れ変化の状態が極めて認識し易く、作業の効率化、品質の向上、安定化が図れる。また、レンズユニット全体を組み立てる前に当該レンズの傾きをあらかじめ調整しておく場合に於いても、同様の効果が期待できるものである。
【産業上の利用可能性】
【００３９】
以上のように本発明は、光の進入方向に対して順番に配置した、ズーム機能を有する複数のレンズ群と、撮像素子とを備え、前記レンズ群のレンズには、レンズホルダに保持させ、このレンズホルダに、手ぶれ補正駆動機構を設けるとともに、このレンズホルダには、傾斜補正手段を設けたものであるので、手ぶれ補正に対する感度を高める事ができる。
【００４０】
すなわち、本発明においては、第３群レンズを保持させたレンズホルダに傾斜補正手段を設けたものであるので、この第３群レンズ自体の重量が重くなることはなく、よって、手ぶれ補正駆動機構による手ぶれ補正に対する感度を高める事ができるのである。
【００４１】
したがって、高倍率の撮影や、より手ぶれ補正感度が求められる撮像装置への適用が大いに期待されるものである。
【図面の簡単な説明】
【００４２】
【図１】本発明の一実施形態を示す斜視図
【図２】その要部を示す斜視図
【図３】その要部の分解斜視図
【図４】そのレンズ群を示す断面図
【図５】その第３群レンズ１０部分のホルダを示す裏面側からの斜視図
【図６】その要部（図７のＡ−Ａ断面図）断面図
【図７】その裏面側からの正面図
【図８】（ａ）その外枠２０の斜視図（ｂ）その外枠２０の分解斜視図
【図９】その撮影状態を示す図
【図１０】その裏面側からの正面図
【符号の説明】
【００４３】
１  本体ケース
２  集光窓
３  覗き窓
４  操作スイッチ
５  表示装置
６  ホルダ
８  第１群レンズ
９  第２群レンズ
１０  第３群レンズ
１１  第４群レンズ
１２  第５群レンズ
１３  第２群レンズホルダ
１５  第４群レンズホルダ
１６ａ  シャフト
１６ｂ  シャフト
１７  富士山
１８  表示装置
１９  内枠
２０  外枠
２１  係止部
２２  係止孔
２３  係止ピン
２４  係止切欠
２５  係止ピン
２６  駆動コイル
２７  駆動コイル
２８  磁石
２９  磁石
３０  ヨーク体
３１  突起
３１ａ  凹部
３２ネジ孔
３３  ネジ
３３ａ、３３ｂ  調節ネジ
３４  当面
３５  第１群ケース
３６  第５群ケース
３７  ネジ
３８  ネジ孔
３９  押突起
４０  撮像素子ユニット
４１  支点
４２  Ｘ軸
４３  Ｙ軸
【図１】
2010114874.tif 000003
【図２】
2010114874.tif 000004
【図３】
2010114874.tif 000005
【図４】
2010114874.tif 000006
【図５】
2010114874.tif 000007
【図６】
2010114874.tif 000008
【図７】
2010114874.tif 000009
【図８】
2010114874.tif 000010
【図９】
2010114874.tif 000011
【図１０】
2010114874.tif 000012